(57)【要約】  チャンバ（１０５）の容積内の滅菌剤濃度及び散逸のＵＶ検出のための方法及びシステムは、チャンバ（１０５）内の物体（２０２）の少なくとも１つの点上にカメラ（２１１）の焦点を合わせるステップと、入力ポート（２１０）においてＵＶ源（２０７）からのＵＶ光を、かつ、流入口（２０３）において滅菌剤をチャンバ（１０５）内に透過させるステップと、カメラを使用して、物体（２０２）の点を走査し、点における吸光度の量を決定するステップと、決定された吸光度の量から、それぞれの点に対する滅菌剤の濃度を算出するステップと、全ての点の濃度が閾値よりも大きい場合に、容積から滅菌剤を除去するステップと、を含む。滅菌剤は過酸化水素であってもよい。カメラ（２１１）は立体カメラであってもよい。チャンバ（１０５）は、走査のためにボクセルのグリッドに分割されてもよい。
2020533600.tif 000002
【特許請求の範囲】
【請求項１】
容積内の滅菌剤濃度及び散逸のＵＶ検出のための方法であって、
前記容積内の物体の少なくとも１つの点上にカメラの焦点を合わせるステップと、
ＵＶ光及び滅菌剤を前記容積内に透過させるステップと、
前記カメラを使用して、前記物体の前記少なくとも１つの点を走査し、前記少なくとも１つの点における吸光度の量を決定するステップと、
決定された前記吸光度の量から、前記少なくとも１つの点のそれぞれに対する前記滅菌剤の濃度を算出するステップと、
前記濃度が閾値よりも大きい場合に、前記容積から前記滅菌剤を除去するステップと、を含む、方法。
【請求項２】
前記走査するステップが、チャンバをボクセルのグリッドに分割するステップと、前記ボクセルを走査するステップと、を更に含む、請求項１に記載の方法。
【請求項３】
前記算出するステップが、前記少なくとも１つの点における前記吸光度の量を測定することによって実行されている、請求項１に記載の方法。
【請求項４】
前記吸光度の量が、前記滅菌剤の前記濃度に比例する、請求項１に記載の方法。
【請求項５】
前記滅菌剤が過酸化水素である、請求項１に記載の方法。
【請求項６】
前記閾値が６３０ｍｇ／Ｌである、請求項１に記載の方法。
【請求項７】
前記カメラが立体カメラである、請求項１に記載の方法。
【請求項８】
チャンバの容積内の滅菌剤濃度及び散逸のＵＶ検出のためのシステムであって、
２つ以上のカメラと、
チャンバの容積と、
物体と、
プロセッサであって、
前記チャンバの前記容積内の前記物体の少なくとも１つの点上に前記カメラの焦点を合わせ、
ＵＶ光及び滅菌剤を前記容積内に透過させ、
前記カメラを使用して、前記物体の前記少なくとも１つの点を走査し、前記少なくとも１つの点における吸光度の量を決定し、
決定された前記吸光度の量から、前記少なくとも１つの点のそれぞれに対する前記滅菌剤の濃度を算出し、かつ
前記濃度が閾値よりも大きい場合に、前記容積から前記滅菌剤を除去するように構成されている、プロセッサと、を備える、システム。
【請求項９】
前記プロセッサが、前記チャンバをボクセルのグリッドに分割し、前記ボクセルを走査するように更に構成されている、請求項８に記載のシステム。
【請求項１０】
前記プロセッサが、前記少なくとも１つの点における前記吸光度の量を測定することによって前記算出を実行するように更に構成されている、請求項８に記載のシステム。
【請求項１１】
前記吸光度の量が、前記滅菌剤の前記濃度に比例する、請求項８に記載のシステム。
【請求項１２】
前記滅菌剤が過酸化水素である、請求項８記載のシステム。
【請求項１３】
前記閾値が６３０ｍｇ／Ｌである、請求項８に記載のシステム。
【請求項１４】
前記カメラが立体カメラである、請求項８に記載のシステム。
【請求項１５】
チャンバの容積内の滅菌剤濃度及び散逸のＵＶ検出のためのコンピュータソフトウェア製品であって、コンピュータプログラム命令が記憶されている非一時的コンピュータ可読記憶媒体を含み、前記命令は、コンピュータによって実行されると、前記コンピュータに、
前記容積内の物体の少なくとも１つの点上にカメラの焦点を合わせるステップと、
ＵＶ光及び滅菌剤を前記容積内に透過させるステップと、
前記カメラを使用して、前記物体の前記少なくとも１つの点を走査し、前記少なくとも１つの点における吸光度の量を決定するステップと、
決定された前記吸光度の量から、前記少なくとも１つの点のそれぞれに対する前記滅菌剤の濃度を算出するステップと、
前記濃度が閾値よりも大きい場合に、前記容積から前記滅菌剤を除去するステップと、を実行させる、コンピュータソフトウェア製品。
【請求項１６】
前記走査するステップが、前記チャンバをボクセルのグリッドに分割するステップと、前記ボクセルを走査するステップと、を更に含む、請求項１５に記載のコンピュータソフトウェア製品。
【請求項１７】
前記算出するステップが、前記少なくとも１つの点における前記吸光度の量を測定することによって実行されている、請求項１５に記載のコンピュータソフトウェア製品。
【請求項１８】
前記吸光度の量が、前記滅菌剤の前記濃度に比例する、請求項１５に記載のコンピュータソフトウェア製品。
【請求項１９】
前記カメラが立体カメラである、請求項１５に記載のコンピュータソフトウェア製品。
【請求項２０】
前記閾値が６３０ｍｇ／Ｌである、請求項１５に記載のコンピュータソフトウェア製品。
【発明の詳細な説明】
【開示の内容】
【０００１】
容積内の過酸化水素（「Ｈ２０２」）などの滅菌剤濃度及び散逸を紫外線（「ＵＶ」）検出するための方法及びカメラなどの装置が提供される。
【０００２】
容積内の滅菌剤濃度及び散逸のＵＶ検出のための方法は、容積内の物体の少なくとも１つの点上にカメラの焦点を合わせるステップと、ＵＶ光及び滅菌剤を容積内に透過させるステップと、カメラを使用して、物体の少なくとも１つの点を走査し、少なくとも１つの点における吸光度の量を決定するステップと、決定された吸光度の量から、少なくとも１つの点のそれぞれに対する滅菌剤の濃度を算出するステップと、濃度が閾値よりも大きい場合に、容積から滅菌剤を除去するステップと、を含み得る。
【０００３】
本方法の一実施形態では、走査するステップは、チャンバをボクセルのグリッドに分割するステップと、ボクセルを走査するステップと、を更に含む。一実施形態では、算出するステップは、少なくとも１つの点における吸光度の量を測定することによって実行されている。一実施形態では、吸光度の量は、滅菌剤の濃度に比例する。一実施形態では、滅菌剤は過酸化水素である。一実施形態では、閾値は６３０ｍｇ／Ｌである。一実施形態では、カメラは立体カメラである。
【０００４】
チャンバの容積内の滅菌剤濃度及び散逸のＵＶ検出のためのシステムは、２つ以上のカメラと、チャンバの容積と、物体と、プロセッサであって、チャンバの容積内の物体の少なくとも１つの点上にカメラの焦点を合わせ、ＵＶ光及び滅菌剤を容積内に透過させ、カメラを使用して、物体の少なくとも１つの点を走査し、少なくとも１つの点における吸光度の量を決定し、決定された吸光度の量から、少なくとも１つの点のそれぞれに対する滅菌剤の濃度を算出し、かつ濃度が閾値よりも大きい場合に、容積から滅菌剤を除去するように構成されている、プロセッサと、を含み得る。
【０００５】
一実施形態では、プロセッサは、チャンバをボクセルのグリッドに分割し、ボクセルを走査するように更に構成されている。一実施形態では、プロセッサは、少なくとも１つの点における吸光度の量を測定することによって算出を実行するように更に構成される。一実施形態では、吸光度の量は、滅菌剤の濃度に比例する。一実施形態では、滅菌剤は過酸化水素である。一実施形態では、閾値は６３０ｍｇ／Ｌである。一実施形態では、カメラは立体カメラである。
【０００６】
容積内の滅菌剤濃度及び散逸のＵＶ検出のためのコンピュータプログラム製品も提示される。
【０００７】
本発明のこれら及びその他の目的、特徴及び利点は、添付の図面と関連付けて解釈されるべき、その例示的実施形態に関する以下の詳細な説明から明らかになるであろう。
【図面の簡単な説明】
【０００８】
本発明は、添付図面の図において、制限としてではなく例示として図示される。
【図１】洗浄及び包装装置から出ていく洗浄され包装された器具を示す、本発明による一実施形態の図である。
【図２】本発明の一実施形態による滅菌チャンバの概略図である。
【図３】本発明の一実施形態による、図１に示すチャンバの構成要素の略図である。
【図４Ａ】本発明の実施形態による例示的なディスプレイである。
【図４Ｂ】本発明の実施形態による例示的なディスプレイである。
【図５】１つ以上の開示された実施形態に関連して使用される、例示的な滅菌動作の流れ図である。
【発明を実施するための形態】
【０００９】
本発明は、立体カメラなどを使用した容積内の滅菌剤濃度及び散逸のＵＶ検出に関する方法及び装置に関する。
【００１０】
医療機器の低温滅菌のための標準的な方法のうちの１つは、過酸化水素蒸気などの滅菌剤と低温プラズマとの組み合わせを滅菌チャンバ内で使用することである。滅菌プロセスの過程において、過酸化水素濃度は、過酸化水素の消費とともに測定され、必要に応じて、過酸化水素がチャンバに添加され、濃度が満足なレベルに維持される。過酸化水素濃度を測定する現在の方法は、チャンバ内を透過する紫外光源を使用し、受光された紫外光は、光源から遠くに位置する単一の紫外光検出器で測定される。受光された紫外光のレベルは、全体の過酸化水素濃度指示値を算出するために使用される。
【００１１】
過酸化水素ガスプラズマ技術を使用する現在のプラズマ滅菌システムでは、過酸化水素蒸気が真空チャンバ内に広がった程度を決定することができないため、問題が生じる。したがって、過酸化水素の均一な散逸及び分布は確実なものではない。既存のシステムは、医療器具などの物体で満たされ、ドレープで覆われたすべてのトレイの中で、システム内に（滅菌を検出するための）生物学的センサを１つだけ備えている。
【００１２】
実際には、特に、カテーテル、内視鏡など、細い内腔を有する機器を滅菌することによって滅菌蒸気の拡散が制限されるときは、過酸化水素などの滅菌剤の濃度はチャンバ内で大きく変動し得る。このような流れの制限に起因して、より高い又はより低い濃度の過酸化水素に曝されているチャンバの領域ができることがある。したがって、上述の全体の指示値は、チャンバ全体にわたる正確な濃度分布の状況を示していない可能性がある。
【００１３】
したがって、チャンバの容積全体を通して蒸気が広がり、滅菌を達成するために必要な全ての点に到達したことをユーザが確認することを可能にする改善されたプラズマ滅菌システムが必要とされる。
【００１４】
本明細書に記載される本発明のプラズマ滅菌システムは、チャンバ内の立体ＵＶカメラを使用して、チャンバ内に三次元（「３Ｄ」）で広がる滅菌剤、例えば、過酸化水素蒸気の可視化を提供する。この可視化は、例えば、チャンバ全体にわたる、及び／又は滅菌されている１つ以上の医療器具の表面全体にわたる過酸化水素蒸気濃度のマッピングであってもよい。このプロセスは、少なくとも以下の情報、すなわち、チャンバ全体の１つ又は複数の箇所における蒸気のおおよその濃度、蒸気が広がった場所、蒸気が物体と接触したかどうか、蒸気がチャンバ内で持続した時間、及びその他のパラメータを決定するために使用することができる。なお、本発明のシステムは、既存のシステムで使用される生物学的インジケータセンサを排除するために使用することができる。
【００１５】
以下の説明では、本発明の様々な原理が十分に理解されるように、多くの具体的な詳細について記載する。しかしながら、これらの詳細の全てが本発明を実施する上で必ずしも必要であるとは限らない点は当業者には明らかであろう。この場合、一般的な概念を無用に分かりにくくすることのないよう、周知の回路、制御論理、並びに従来のアルゴリズム及びプロセスに対するコンピュータプログラム命令の詳細については、詳しく示していない。
【００１６】
図１は、外科用器具などの物体ための改善された衛生、滅菌及び包装プロセスを提供し、かつ非密閉状態における微生物要素への曝露による汚染の可能性を排除する、例示的な洗浄及び包装システム１００を示す。例えば、参照により本明細書に組み込まれる米国特許出願第１５／６０２，７３９号（Ａｌｔｍａｎｎら）は、例示的な洗浄及び包装システムを開示している。図１に示すように、洗浄及び包装システム１００は、封止可能な洗浄区画室又はチャンバ１０５及び封止可能な包装区画室１１０を有する。洗浄区画室１０５及び包装区画室１１０は、好ましくは、例示的な洗浄及び包装システム１００に示すように互いに連続的に連結しているが、物理的に連結することなく連続的に配置されてよい。示される実施例では、洗浄区画室１０５は衛生システム及び滅菌システムの両方を含み、また包装区画室１１０は包装システムを含む。当然、別の実施形態では、洗浄区画室１０５は、包装区画室１１０の包装システムと共に滅菌システムを単に含んでよい。
【００１７】
なお、例示的な洗浄及び包装システム１００は、区画室１０５及び１１０により部分的に進入し、かつ区画室１０５及び１１０を介して品目を搬送するように構成される、コンベアシステム１２０を有する。図１に図示したように、コンベアシステム１２０は４つの個別のコンベア区間１２０ａ、１２０ｂ、１２０ｃ及び１２０ｄを有する。コンベアシステム１２０がこれら４つの個別のコンベア区間１２０ａ、１２０ｂ、１２０ｃ及び１２０ｄと共に図示されたにもかかわらず、洗浄及び包装システム１００のその他の実施形態は１つの単一のコンベア区間又は任意のその他多数の個別のコンベア区間を利用してよい、と理解されている。図１を参照すると、通常、コンベアシステム１２０は洗浄区画室１０５に進入し、最初に洗浄区画室１０５を介して進み、次に包装区画室１１０を介して、次に包装区画室１１０から最終的に退出する。特に、コンベア区間１２０ａは洗浄区画室１０５の入口の外側に属しており、コンベア区間１２０ｂは洗浄区画室１０５に覆われて洗浄区画室１０５を介して品目を搬送するように構成され、コンベア区間１２０ｃは包装区画室１１０に覆われて包装区画室１１０を介して品目を搬送するように構成され、またコンベア区間１２０ｄは包装区画室１１０の出口の外側に属する。したがって、コンベア区間１２０ａは器具を洗浄区画室１０５の入口へと搬送するように構成され、コンベア区間１２０ｂはコンベア区間１２０ａから器具を受容するように構成される。コンベア区間１２０ｂは、洗浄区画室１０５を介して器具を洗浄区画室１０５の出口及び包装区画室１１０の入口へと搬送するように更に構成される。続いて、コンベア区間１２０ｃは、コンベア区間１２０ｂから器具を受容するように構成される。コンベア区間１２０ｃは、包装区画室１１０を介して器具を包装区画室１１０の出口へと搬送するように更に構成される。最終的に、コンベア区間１２０ｄは、コンベア区間１２０ｃから包装された包装体１５０を受容して、包装された包装体１５０を包装区画室１１０から容器１６０へと搬送するように構成される。
【００１８】
なお、例示的な洗浄及び包装システム１００は、３組の封止扉を特徴とする。封止扉の第１の組は洗浄区画室１０５の入口に構成され、封止進入扉構成要素（図示せず）を提供する。封止扉の第２の組は洗浄区画室１０５と包装区画室１１０との間に構成され、封止連結扉構成要素１３０を提供する。封止扉の第３の組は包装区画室１１０の出口に構成され、封止出口扉構成要素１４０を提供する。上述の３組の封止扉のそれぞれについて、封止態様は、液体封止及び気密封止の一方又は両方を含むことができる。３組の封止扉は、３組の封止扉が閉じた場合に、洗浄区画室１０５及び包装区画室１１０への視界を提供する透明材料で作製されてもよい。これらの３組の封止扉は透明材料で作製されてもよいが、必ずしもそのような透明材料で作製される必要はない。
【００１９】
上述のように、図１のコンベアシステム１２０が４つの個別のコンベア区間１２０ａ、１２０ｂ、１２０ｃ及び１２０ｄと共に図示された一方、洗浄及び包装システム１００のその他の実施形態は１つの単一のコンベア区間又は任意のその他の多数のコンベア区間を利用してよい、と理解されている。１つの単一のコンベア区間が洗浄及び包装システム１００全体にわたって存在する代替的実施形態では、コンベア１２０は、好ましくは、封止扉１３０及び１４０の組が、当該封止扉が閉じた場合にコンベア１２０と封止的に係合することを可能にする、ゴムなどの物質から作製される。特に、コンベア１２０は、封止扉により係合される場合に真空封止を提供するガスケットを伴う溝を、有することができる。滅菌のレベル及び方法に応じて、別の実施形態では、扉は、空気の移動を妨げる重量のあるドレープであり得る。このような重量のあるドレープを、洗浄区画室１０５の入口、洗浄区画室１０５と包装区画室１１０との間、及び包装区画室１１０の出口に配置することができる。
【００２０】
コンベアシステム１２０は、コントローラ１７０と、モニタ又はディスプレイスクリーン１７５とを含んでもよい。コントローラ１７０は、コンベアシステム１２０との間で信号を送受信してもよい。一実施形態では、コントローラ１７０は、（以下に）図４に関してより詳細に説明されるように、モニタ１７５上に表示するための信号を受信してもよい。
【００２１】
図２は、本発明の一実施形態による洗浄及び滅菌区画室又はチャンバ１０５の概略図である。チャンバ１０５は、滅菌される物体２０２を通すための封止されたポータル２０１を有しており、物体は種々雑多の外科用器具などであり得る。過酸化水素を、調節器又は弁２０４を有する流入口２０３を通してチャンバ１０５内に入れることができる。空気を入れるために少なくとも１つのポータル２０５が設けられ、ガスは少なくとも１つのその他のポータル２０６を通ってチャンバから出ていく。チャンバ１０５は、大気圧未満に、典型的には０．５トルに維持され、チャンバ内にわたって紫外（ＵＶ）光を透過させるＵＶ光源２０７を備えており、ＵＶ光は、複数の壁面上ＵＶ光検出器２０８及び内部ＵＶ光検出器２０９で受光される。ＵＶ源２０７と関連付けられている適当なＵＶレンズを有する光学素子２１０は、検出器２０８、２０９のすべてを照明するように構成されている。図２における検出器２０８、２０９の分布は、非制限的な一例である。検出器２０８、２０９は、滅菌中の物体における過酸化水素の濃度が測定値に最適に反映されるように、チャンバ内に分布され得る。したがって、それらは、チャンバ全体に均一に配置されてもよい。検出器は特定の順序で分布する必要はなく、更には、チャンバの周囲及び内部に様々な方向を向いて広く散在してもよい。
【００２２】
また、チャンバ内には、物体２０２上に常に焦点が合わせられた２つの立体カメラ２１１がある。これらの立体カメラ２１１は、物体２０２を三次元（３Ｄ）容積として観察する。３つ以上の立体カメラを使用することができる。
【００２３】
ＵＶ光源２０７は、コントローラ１７０から指令信号を受信し、検出器２０８、２０９及びカメラ２１１からの読み出し値を受信する。弁２０４は、コントローラ１７０によって読み出し値に応じて調整される。弁２０４は、チャンバ１０５内で所望の最適なレベル（典型的には９５％濃度）の過酸化水素が得られるように、過酸化水素の流入を調節する。最適なレベルになると、いくつかの実施形態では、流入は中断され得、チャンバは静的な状態で維持され得る。
【００２４】
一実施形態では、滅菌チャンバは、石英などの透明な物質から作製されてもよい。過酸化水素蒸気は、高周波数のＵＶ光を吸収するので、２つ（又はそれ以上）の立体カメラ２１１は、滅菌処置の妥当性を判定するためにチャンバ内の蒸気を測定することができる。蒸気濃度は、以下のように測定することができる。各波長の吸光度は濃度に依存し、吸光度＋透過率＝１であると仮定する。したがって、チャンバが一方側から照明され、カメラが他方側に配置される場合、ＵＶ光の透過率は、ピクセルの輝度に基づいて測定することができる。ピクセルは、光の透過量が多いほど、また吸収量が少ないほど、明るい。
【００２５】
図３は、本発明の一実施形態による、システム１００の電気構成要素の略図である。本実施形態では、ＵＶ源２０７は、並列の２つの発光ダイオード３０１、３０２として実現され、どちらもコントローラ３０３によって供給される。別の実施形態では、ＵＶ源２０７は、ダイオードの代わりにＵＶランプであってもよい。ダイオード３０１、３０２は、抵抗器３０４、３０５と直列であり、２８０ｎｍ及び３７０ｎｍでそれぞれ発光する。ダイオード３０１、３０２は、それぞれの周波数で同時に発光しても、又は同じ周波数で異なる時間間隔で発光してもよい。ダイオード３０１、３０２からの信号を検出する際にＧｏｅｒｔｚｅｌアルゴリズムが使用され得る。２波長紫外分光法の技術は、例えば、参照によって本明細書に援用される、米国特許第６，２６９，６８０号から知られている。図３に示す回路では、ダイオード３０２が回路の内部変動を補正するための基準となる一方、ダイオード３０１は過酸化水素蒸気によって強く吸収される波長で発光する。
【００２６】
ＵＶ光源２０７には、当該技術分野において既知の複数のその他の紫外線発光器、例えば、約２５４ｎｍにスペクトルピークを有する円筒形の低圧水銀ＵＶ発光器が使用され得る。このような発光器は、参照によって本明細書に援用される、米国特許出願公開第２００６／０２２２５７６号で提案されている。このような光源の他の例には、低圧水銀蒸気ランプ、重水素ランプ、キセノンランプ、発光ダイオード、及び半導体レーザが挙げられる。一般に、これらはすべて、上述の２発光ダイオード構成よりも不便であるか、又は高価である。
【００２７】
検出器２０８、２０９は、抵抗器３０７にわたる電荷結合検出器３０６として実現され得る。検出器３０６からの信号は、コントローラ３０３で受信され、トランシーバ３０８によってプロセッサ（図示せず）などの遠隔サイトに伝達され、信号処理技術が適用される。信号処理技術には、アナログ−デジタル変換、及び上述のＧｏｅｒｔｚｅｌアルゴリズムなどのフーリエ解析が含まれる。
【００２８】
図４Ａ及び図４Ｂは、本発明の実施形態による例示的なディスプレイである。コントローラ１７０は、コンベアシステム１２０の１つ以上の構成要素との間でデータ４０１を送受信する。図４Ａに示す実施形態では、データ４０１は、異なる色又は色相が滅菌剤の密度を示すように、ディスプレイモニタ１７５上に表示されてもよい。図４Ｂに示す実施形態では、データ４０１は、アウトラインによって密度及び密度変化が強調されることを示すカラー又はグレースケールで表示されてもよい。データ４０１は、カラーで、グレースケールで、及び／又は数字を用いて表示されてもよい。
【００２９】
図５は、一実施形態における本発明の方法の流れ図である。ステップＳ１において、立体カメラ２１１は、チャンバ１０５の容積内の物体２０２上に焦点を合わせ、チャンバ容積は、ボクセルのグリッドに分けられる又は分割される。典型的なボクセルは、１ｍｍ×１ｍｍ×１ｍｍであってもよい。
【００３０】
ステップＳ２において、ＵＶ光源が点灯し、ＵＶ光がチャンバ１０５に入る。ステップＳ２の間、チャンバ１０５内の全ての点又はピクセルは、ＵＶ光源からの放射線の一部を吸収し、非吸収部分を透過させる。
【００３１】
ステップＳ３において、滅菌剤がチャンバ１０５に入る。各カメラ２１１で受光するＵＶ光の量は、滅菌剤がチャンバ１０５内に入るにつれて増加する。光の量は、各点における滅菌剤の量に比例して増加する。例えば、特定の点における滅菌剤の量が倍増すると、その時点でのＵＶ光の量もまた倍増する。
【００３２】
次に、チャンバを走査するループプロセスを開始する。ステップＳ４において、物体２０２上に焦点を合わせられたカメラ２１１が、チャンバ１０５内の物体２０２上の点を含むボクセルのグリッドを走査する。すなわち、カメラは、チャンバ１０５内の各ボクセルの各点（ピクセル）上のＵＶ光の量を測定する。物体２０２は、ボクセルのグリッド内の１つ以上のボクセル内に存在し得ることに留意されたい。
【００３３】
ステップＳ５において、Ｈ２０２の濃度が、ステップＳ４のカメラ測定値から決定された吸光度の量を使用して算出される。吸光度の量はＨ２０２の濃度に比例するので、濃度は吸光度の測定値から算出できる。
【００３４】
上述のように、各点におけるＵＶ光の量は、各点における滅菌剤の量に比例する。ステップＳ６において、各点について滅菌剤の濃度が閾値を超えるかどうかを判定する。全ての点について滅菌剤の濃度が閾値を超える（Ｓ６＝はい）と、物体は成功裏に滅菌される。滅菌剤の濃度が閾値を超えると（Ｓ６＝はい）、ステップＳ７において、処置が完了し、滅菌剤がチャンバから除去される。一実施形態では、エチレンオキシドプロセスは、典型的には、６３０ｍｇ／Ｌの気相濃度で摂氏５５度で実行される。したがって、一実施形態では、滅菌剤濃度の閾値は６３０ｍｇ／Ｌ以上であってもよく、したがって、滅菌剤濃度が６３０ｍｇ／Ｌ以上である場合、除去プロセスが実行される（例えば、滅菌剤がチャンバから除去される）。
【００３５】
滅菌剤の濃度が閾値を超えない場合（Ｓ６＝いいえ）、ステップＳ４において走査を継続する。
【００３６】
当業者であれば、本教示が上述の本明細書で具体的に図示及び記載されたものに限定されない点を理解するであろう。むしろ、本発明の範囲は、上述の様々な特徴の組み合わせ及び部分的組み合わせ、並びに上記の説明を読むことで当業者には想到されるであろう、先行技術にはない上述の特徴の変形例及び改変例をも含むものである。
【００３７】
洗浄区画室１０５は、ライト３０５及びセンサ３１５などの、任意の数及び検査装置の任意の組み合わせを備えておもよい、と理解されたい。洗浄区画室１０５内の衛生プロセス及び滅菌プロセスの両方について、複数の検査装置が医療器具の洗浄プロセスを補助する。複数の検査装置は、ＵＶセンサ、熱追跡検出器、生物学的指標、化学試薬、及び湿度検出器などの、広範な種々のセンサ及び検査機構を含んでよい、と理解されている。
【００３８】
提供される方法は、汎用コンピュータ、プロセッサ、又はプロセッサコアへの実装を含む。好適なプロセッサとしては、例として、汎用プロセッサ、専用プロセッサ、従来型プロセッサ、デジタル信号プロセッサ（digital signal processor、ＤＳＰ）、複数のマイクロプロセッサ、ＤＳＰコアと関連する１つ若しくは２つ以上のマイクロプロセッサ、コントローラ、マイクロコントローラ、特定用途向け集積回路（Application Specific Integrated Circuit、ＡＳＩＣ）、フィールドプログラマブルゲートアレイ（Field Programmable Gate Array、ＦＰＧＡ）回路、任意の他のタイプの集積回路（integrated circuit、ＩＣ）、及び／又は状態機械が挙げられる。このようなプロセッサは、処理されたハードウェア記述言語（hardware description language、ＨＤＬ）命令及びネットリスト等の他の中間データ（このような命令は、コンピュータ可読媒体に格納することが可能である）の結果を用いて製造プロセスを構成することにより、製造することが可能である。そのような処理の結果は、次いで、本明細書で説明される方法を実施するプロセッサを製造するために半導体製造プロセスにおいて使用される、マスクワークとすることができる。
【００３９】
本明細書に提供される方法又はフロー図は、汎用コンピュータ又はプロセッサによる実施のために非一時的コンピュータ可読ストレージ媒体に組み込まれるコンピュータプログラム、ソフトウェア、又はファームウェアにおいて実施することができる。非一時的コンピュータ可読記憶媒体の例としては、ＲＯＭ、ランダムアクセスメモリ（ＲＡＭ）、レジスタ、キャッシュメモリ、半導体メモリデバイス、磁気媒体、例えば内蔵ハードディスク及びリムーバブルディスク、磁気光学媒体、並びに光学媒体、例えば、ＣＤ−ＲＯＭディスク及びデジタル多用途ディスク（ＤＶＤ）が挙げられる。
【００４０】
〔実施の態様〕
（１）  容積内の滅菌剤濃度及び散逸のＵＶ検出のための方法であって、
前記容積内の物体の少なくとも１つの点上にカメラの焦点を合わせるステップと、
ＵＶ光及び滅菌剤を前記容積内に透過させるステップと、
前記カメラを使用して、前記物体の前記少なくとも１つの点を走査し、前記少なくとも１つの点における吸光度の量を決定するステップと、
決定された前記吸光度の量から、前記少なくとも１つの点のそれぞれに対する前記滅菌剤の濃度を算出するステップと、
前記濃度が閾値よりも大きい場合に、前記容積から前記滅菌剤を除去するステップと、を含む、方法。
（２）  前記走査するステップが、チャンバをボクセルのグリッドに分割するステップと、前記ボクセルを走査するステップと、を更に含む、実施態様１に記載の方法。
（３）  前記算出するステップが、前記少なくとも１つの点における前記吸光度の量を測定することによって実行されている、実施態様１に記載の方法。
（４）  前記吸光度の量が、前記滅菌剤の前記濃度に比例する、実施態様１に記載の方法。
（５）  前記滅菌剤が過酸化水素である、実施態様１に記載の方法。
【００４１】
（６）  前記閾値が６３０ｍｇ／Ｌである、実施態様１に記載の方法。
（７）  前記カメラが立体カメラである、実施態様１に記載の方法。
（８）  チャンバの容積内の滅菌剤濃度及び散逸のＵＶ検出のためのシステムであって、
２つ以上のカメラと、
チャンバの容積と、
物体と、
プロセッサであって、
前記チャンバの前記容積内の前記物体の少なくとも１つの点上に前記カメラの焦点を合わせ、
ＵＶ光及び滅菌剤を前記容積内に透過させ、
前記カメラを使用して、前記物体の前記少なくとも１つの点を走査し、前記少なくとも１つの点における吸光度の量を決定し、
決定された前記吸光度の量から、前記少なくとも１つの点のそれぞれに対する前記滅菌剤の濃度を算出し、かつ
前記濃度が閾値よりも大きい場合に、前記容積から前記滅菌剤を除去するように構成されている、プロセッサと、を備える、システム。
（９）  前記プロセッサが、前記チャンバをボクセルのグリッドに分割し、前記ボクセルを走査するように更に構成されている、実施態様８に記載のシステム。
（１０）  前記プロセッサが、前記少なくとも１つの点における前記吸光度の量を測定することによって前記算出を実行するように更に構成されている、実施態様８に記載のシステム。
【００４２】
（１１）  前記吸光度の量が、前記滅菌剤の前記濃度に比例する、実施態様８に記載のシステム。
（１２）  前記滅菌剤が過酸化水素である、実施態様８記載のシステム。
（１３）  前記閾値が６３０ｍｇ／Ｌである、実施態様８に記載のシステム。
（１４）  前記カメラが立体カメラである、実施態様８に記載のシステム。
（１５）  チャンバの容積内の滅菌剤濃度及び散逸のＵＶ検出のためのコンピュータソフトウェア製品であって、コンピュータプログラム命令が記憶されている非一時的コンピュータ可読記憶媒体を含み、前記命令は、コンピュータによって実行されると、前記コンピュータに、
前記容積内の物体の少なくとも１つの点上にカメラの焦点を合わせるステップと、
ＵＶ光及び滅菌剤を前記容積内に透過させるステップと、
前記カメラを使用して、前記物体の前記少なくとも１つの点を走査し、前記少なくとも１つの点における吸光度の量を決定するステップと、
決定された前記吸光度の量から、前記少なくとも１つの点のそれぞれに対する前記滅菌剤の濃度を算出するステップと、
前記濃度が閾値よりも大きい場合に、前記容積から前記滅菌剤を除去するステップと、を実行させる、コンピュータソフトウェア製品。
【００４３】
（１６）  前記走査するステップが、前記チャンバをボクセルのグリッドに分割するステップと、前記ボクセルを走査するステップと、を更に含む、実施態様１５に記載のコンピュータソフトウェア製品。
（１７）  前記算出するステップが、前記少なくとも１つの点における前記吸光度の量を測定することによって実行されている、実施態様１５に記載のコンピュータソフトウェア製品。
（１８）  前記吸光度の量が、前記滅菌剤の前記濃度に比例する、実施態様１５に記載のコンピュータソフトウェア製品。
（１９）  前記カメラが立体カメラである、実施態様１５に記載のコンピュータソフトウェア製品。
（２０）  前記閾値が６３０ｍｇ／Ｌである、実施態様１５に記載のコンピュータソフトウェア製品。
【図１】
2020533600.tif 000003
【図２】
2020533600.tif 000004
【図３】
2020533600.tif 000005
【図４Ａ】
2020533600.tif 000006
【図４Ｂ】
2020533600.tif 000007
【図５】
2020533600.tif 000008
【国際調査報告】
2020533600.tif 000009
2020533600.tif 000010
2020533600.tif 000011